(57)【特許請求の範囲】
【請求項１】
第１の選択肢群における複数の選択肢のそれぞれに対して設けられた複数の第１表示要素であって、それぞれが、当該第１の選択肢群における対応する選択肢を選択する際に押下され、当該選択肢が選択されていることを明示可能な複数の第１表示要素と、当該複数の第１表示要素とは別に設けられ、当該第１の選択肢群における選択肢の選択を確定させる際に押下される確定表示要素とを含む画面を表示する画面表示手段と、
前記複数の第１表示要素のうちの特定の第１表示要素が前記第１の選択肢群における第１の選択肢が選択されていることを明示した状態で、当該特定の第１表示要素、及び、前記確定表示要素のいずれが押下された場合であっても、当該第１の選択肢の選択を確定させる選択確定手段と
を備え、
前記画面表示手段は、前記複数の第１表示要素のうちのいずれかの第１表示要素の押下に応じて、当該第１表示要素に対応する選択肢に関連する第２の選択肢群が存在する場合に、当該第２の選択肢群における複数の選択肢のそれぞれに対して設けられた複数の第２表示要素を、当該第２の選択肢群におけるいずれかの選択肢が選択されていることを明示した状態で更に含む前記画面を表示し、
前記選択確定手段は、前記複数の第１表示要素のうちの特定の第１表示要素が前記第１の選択肢群における第１の選択肢が選択されていることを明示し、かつ、前記複数の第２表示要素のうちの特定の第２表示要素が前記第２の選択肢群における第２の選択肢が選択されていることを明示した状態で、当該特定の第１表示要素、当該特定の第２表示要素、及び、前記確定表示要素のいずれが押下された場合であっても、当該第１の選択肢及び当該第２の選択肢の選択を確定させることを特徴とする表示装置。
【請求項２】
前記複数の第１表示要素のそれぞれは、前記第１の選択肢群における対応する選択肢を選択できないことを更に明示可能であり、
前記複数の第１表示要素のうちの特定の第１表示要素が前記第１の選択肢群における特定の選択肢を選択できないことを明示した状態で、当該特定の第１表示要素が押下されると、当該特定の選択肢を選択できないようにした原因の設定に関する情報を表示し、当該特定の第１表示要素が再度押下されると、当該原因の設定を解除し、当該特定の第１表示要素において当該特定の選択肢が選択されていることを明示する設定解除手段
を更に備えたことを特徴とする請求項１記載の表示装置。
【請求項３】
画像処理の設定に対応する第１の選択肢群における複数の選択肢のそれぞれに対して設けられた複数の第１表示要素であって、それぞれが、当該第１の選択肢群における対応する選択肢を選択する際に押下され、当該選択肢が選択されていることを明示可能な複数の第１表示要素と、当該複数の第１表示要素とは別に設けられ、当該第１の選択肢群における選択肢の選択を確定させる際に押下される確定表示要素とを含む画面を表示する画面表示手段と、
前記複数の第１表示要素のうちの特定の第１表示要素が前記第１の選択肢群における第１の選択肢が選択されていることを明示した状態で、当該特定の第１表示要素、及び、前記確定表示要素のいずれが押下された場合であっても、当該第１の選択肢の選択を確定させる選択確定手段と、
前記選択確定手段により選択が確定された前記第１の選択肢に対応する設定に基づいて、画像処理を行う画像処理手段と
を備え、
前記画面表示手段は、前記複数の第１表示要素のうちのいずれかの第１表示要素の押下に応じて、当該第１表示要素に対応する選択肢に関連する第２の選択肢群が存在する場合に、当該第２の選択肢群における複数の選択肢のそれぞれに対して設けられた複数の第２表示要素を、当該第２の選択肢群におけるいずれかの選択肢が選択されていることを明示した状態で更に含む前記画面を表示し、
前記選択確定手段は、前記複数の第１表示要素のうちの特定の第１表示要素が前記第１の選択肢群における第１の選択肢が選択されていることを明示し、かつ、前記複数の第２表示要素のうちの特定の第２表示要素が前記第２の選択肢群における第２の選択肢が選択されていることを明示した状態で、当該特定の第１表示要素、当該特定の第２表示要素、及び、前記確定表示要素のいずれが押下された場合であっても、当該第１の選択肢及び当該第２の選択肢の選択を確定させることを特徴とする画像処理装置。
【請求項４】
第１の選択肢群における複数の選択肢のそれぞれに対して設けられた複数の第１表示要素であって、それぞれが、当該第１の選択肢群における対応する選択肢を選択する際に押下され、当該選択肢が選択されていることを明示可能な複数の第１表示要素と、当該複数の第１表示要素とは別に設けられ、当該第１の選択肢群における選択肢の選択を確定させる際に押下される確定表示要素とを含む画面を表示するステップと、
前記複数の第１表示要素のうちの特定の第１表示要素が前記第１の選択肢群における第１の選択肢が選択されていることを明示した状態で、当該特定の第１表示要素、及び、前記確定表示要素のいずれが押下された場合であっても、当該第１の選択肢の選択を確定させるステップと、
前記複数の第１表示要素のうちのいずれかの第１表示要素の押下に応じて、当該第１表示要素に対応する選択肢に関連する第２の選択肢群が存在する場合に、当該第２の選択肢群における複数の選択肢のそれぞれに対して設けられた複数の第２表示要素を、当該第２の選択肢群におけるいずれかの選択肢が選択されていることを明示した状態で更に含む前記画面を表示するステップと、
前記複数の第１表示要素のうちの特定の第１表示要素が前記第１の選択肢群における第１の選択肢が選択されていることを明示し、かつ、前記複数の第２表示要素のうちの特定の第２表示要素が前記第２の選択肢群における第２の選択肢が選択されていることを明示した状態で、当該特定の第１表示要素、当該特定の第２表示要素、及び、前記確定表示要素のいずれが押下された場合であっても、当該第１の選択肢及び当該第２の選択肢の選択を確定させるステップと
を含むことを特徴とする表示方法。
【請求項５】
コンピュータに、
第１の選択肢群における複数の選択肢のそれぞれに対して設けられた複数の第１表示要素であって、それぞれが、当該第１の選択肢群における対応する選択肢を選択する際に押下され、当該選択肢が選択されていることを明示可能な複数の第１表示要素と、当該複数の第１表示要素とは別に設けられ、当該第１の選択肢群における選択肢の選択を確定させる際に押下される確定表示要素とを含む画面を表示する機能と、
前記複数の第１表示要素のうちの特定の第１表示要素が前記第１の選択肢群における第１の選択肢が選択されていることを明示した状態で、当該特定の第１表示要素、及び、前記確定表示要素のいずれが押下された場合であっても、当該第１の選択肢の選択を確定させる機能と、
前記複数の第１表示要素のうちのいずれかの第１表示要素の押下に応じて、当該第１表示要素に対応する選択肢に関連する第２の選択肢群が存在する場合に、当該第２の選択肢群における複数の選択肢のそれぞれに対して設けられた複数の第２表示要素を、当該第２の選択肢群におけるいずれかの選択肢が選択されていることを明示した状態で更に含む前記画面を表示する機能と、
前記複数の第１表示要素のうちの特定の第１表示要素が前記第１の選択肢群における第１の選択肢が選択されていることを明示し、かつ、前記複数の第２表示要素のうちの特定の第２表示要素が前記第２の選択肢群における第２の選択肢が選択されていることを明示した状態で、当該特定の第１表示要素、当該特定の第２表示要素、及び、前記確定表示要素のいずれが押下された場合であっても、当該第１の選択肢及び当該第２の選択肢の選択を確定させる機能と
を実現させるためのプログラム。
【請求項６】
前記複数の第１表示要素のそれぞれは、前記第１の選択肢群における対応する選択肢を選択できないことを更に明示可能であり、
前記複数の第１表示要素のうちの特定の第１表示要素が前記第１の選択肢群における特定の選択肢を選択できないことを明示した状態で、当該特定の第１表示要素が押下されると、当該特定の選択肢を選択できないようにした原因の設定に関する情報を表示し、当該特定の第１表示要素が再度押下されると、当該原因の設定を解除し、当該特定の第１表示要素において当該特定の選択肢が選択されていることを明示する機能
を更に実現させるための請求項５記載のプログラム。
【発明の詳細な説明】
【技術分野】
【０００１】
本発明は、例えば画像処理装置の操作パネルに情報を表示する表示装置等に関し、より詳しくは、所定の選択肢群から特定の選択肢を選択するための画面を表示する表示装置等に関する。
【背景技術】
【０００２】
例えば、複写機やプリンタ等の画像処理装置においては、画像処理に関する設定を、設定値の複数の候補から所望の設定値を選択することによって行うことが多い。このように複数の選択肢から特定の選択肢を選択する場合のＵＩ(User Interface)画面では、通常、選択された状態にある選択肢が分かるような表示をし、これをユーザに確認させた上で、ＯＫボタン等で最終的にその選択を確定させている。かかるＵＩ画面は、画面の操作に慣れていないユーザ(以下、「初心者」という)にとっては、逐一設定を確認できるので、安心して使えるものである。
ところが、このようなＵＩ画面も、画面の操作に慣れたユーザ(以下、「熟練者」という)にとっては煩わしく感じることがある。それは、選択肢を選択する操作を行った後、わざわざＯＫボタン等へ指を移動させて選択を確定させる必要があり、素早く操作できないからである。熟練者にとっては、選択肢を選択した瞬間に選択が確定するようなＵＩ画面の方がむしろ好まれる場合もある。
【０００３】
このように、ＵＩ画面に対する初心者と熟練者の要求には大きな隔たりがあり、初心者と熟練者が同じＵＩ画面を共用しようとすると、双方の要求が衝突することになる。
そこで、従来は、使用者が操作に慣れてきた場合や、同じ処理を繰り返し行いたい場合に、選択ボタンを押す回数が少なくなるよう、処理選択画面のうち少なくとも１つの表示を省略するような設定を行っていた(例えば、特許文献１参照)。この特許文献１では、例えば、システム設定画面で、「おわる」ボタンを押したときに終了確認画面を表示するか、表示せずに終了するかが設定できるようになっている。
【０００４】
【特許文献１】特開平１１−３２７７１６号公報
【発明の開示】
【発明が解決しようとする課題】
【０００５】
しかしながら、特許文献１では、初心者用の表示と熟練者用の表示を設定で切り分けているに過ぎない。従って、初心者と熟練者とが混在する環境では、そのいずれかにとって使いづらいものとなってしまう。また、特許文献１のシステムにおいて、初心者と熟練者の両方の要求を満足させるには、操作するユーザが変わる都度、そのレベルに応じて設定を変更しなければならず、非常に煩雑なものとなってしまう。一般の職場環境では、全ユーザのレベルが同程度であることの方が稀であり、初心者から熟練者まで様々なレベルのユーザが存在するのが普通である。従って、レベルの異なるユーザが操作する毎に設定を変更するようなことは非現実的である。
【０００６】
本発明は、以上のような技術的課題を解決するためになされたものであって、その目的は、所定の選択肢群から特定の選択肢を選択するためのＵＩ画面を、初心者と熟練者が共に使い易いものとすることにある。
また、本発明の他の目的は、所定の選択肢群からの選択の確定を、初心者の操作に影響を与えることなく、素早い操作で行えるようにすることにある。
更に、本発明の他の目的は、所定の選択肢群における選択不可能な状態になっている選択肢を、素早い操作で、選択可能な状態にすることにある。
【課題を解決するための手段】
【０００７】
かかる目的のもと、本発明では、対応する選択肢が選択されていることを明示する表示要素(ラジオボタン、タブ等)を操作しても、その選択を確定できるようにした。即ち、本発明の第１の表示装置は、所定の選択肢群から特定の選択肢を選択する際に操作され、その特定の選択肢が選択されていることを明示可能な第１の表示要素と、その特定の選択肢の選択を確定させる際に操作される第２の表示要素とを含む画面を表示する画面表示手段と、特定の選択肢が選択されていることを明示している第１の表示要素が操作された場合に、その特定の選択肢の選択を確定させ、第２の表示要素が操作された場合にも、その特定の選択肢の選択を確定させる選択確定手段とを備えている。
【０００８】
また、本発明では、対応する選択肢が選択不可能な状態にあることを明示する表示要素(ラジオボタン、タブ等)を操作することにより、その選択不可能な状態を引き起こしている設定を解除できるようにした。即ち、本発明の第２の表示装置は、所定の選択肢群から特定の選択肢を選択する際に操作され、その特定の選択肢が選択されていること、及び、その特定の選択肢を選択できないことを明示可能な表示要素を含む画面を表示する画面表示手段と、特定の選択肢を選択できないことを明示している表示要素の操作に応じて、その特定の選択肢を選択できないようにした原因の設定を解除し、その表示要素においてその特定の選択肢が選択されていることを明示する設定解除手段とを備えている。
【０００９】
また、本発明は、対応する選択肢が選択されていることを明示する表示要素(ラジオボタン、タブ等)を操作しても、その選択を確定することの可能な画面を提供する画像処理装置として捉えることもできる。その場合、本発明の画像処理装置は、画像処理の設定に対応する選択肢群から特定の選択肢を選択する際に操作される第１の表示要素と、その特定の選択肢の選択を確定させる際に操作される第２の表示要素とを含む画面を表示する画面表示手段と、特定の選択肢が選択されている場合において、第１の表示要素が操作されると、第２の表示要素が操作されなくても、その特定の選択肢を確定する選択確定手段と、この選択確定手段により確定された特定の選択肢に対応する設定に基づいて、画像処理を行う画像処理手段とを備えている。
【００１０】
更に、本発明は、対応する選択肢が選択されていることを明示する表示要素(ラジオボタン、タブ等)を操作しても、その選択を確定することができる方法として捉えることもできる。その場合、本発明の表示方法は、所定の選択肢群から特定の選択肢を選択する際に操作され、その特定の選択肢が選択されていることを明示可能な第１の表示要素と、その特定の選択肢の選択を確定させる際に操作される第２の表示要素とを含む画面を表示するステップと、特定の選択肢が選択されていることを明示している第１の表示要素、及び、第２の表示要素のいずれが操作された場合であっても、その特定の選択肢の選択を確定させるステップとを含んでいる。
【００１１】
一方、本発明は、所定の機能をコンピュータに実現させるプログラムとして捉えることもできる。
その場合、本発明の第１のプログラムは、コンピュータに、所定の選択肢群から特定の選択肢を選択する際に操作され、その特定の選択肢が選択されていることを明示可能な表示要素を含む画面上での操作を受け付ける機能と、特定の選択肢が選択されていることを明示している表示要素が操作された場合に、その特定の選択肢の選択を確定させる機能とを実現させるためのものである。
また、本発明の第２のプログラムは、コンピュータに、所定の選択肢群から特定の選択肢を選択する際に操作され、その特定の選択肢が選択されていること、及び、その特定の選択肢を選択できないことを明示可能な表示要素を含む画面上での操作を受け付ける機能と、特定の選択肢を選択できないことを明示している表示要素の操作に応じて、その特定の選択肢を選択できないようにした原因の設定を解除し、その表示要素においてその特定の選択肢が選択されていることを明示する機能とを実現させるためのものである。
【発明の効果】
【００１２】
本発明によれば、所定の選択肢群から特定の選択肢を選択するためのＵＩ画面を、初心者と熟練者が共に使い易いものとすることが可能になる。
【発明を実施するための最良の形態】
【００１３】
以下、添付図面を参照して、本発明を実施するための最良の形態(以下、「実施の形態」という)について詳細に説明する。
図１は、本実施の形態が適用される画像処理装置１０の外観を示した図である。
図１に示すように、この画像処理装置１０は、入力された画像データを紙等の媒体に展開して印刷する装置本体２０と、入力された画像データの処理その他の制御処理を行う制御装置３０と、画像処理装置１０の各種設定等を行うための操作パネルとして用いられる入出力装置４０とを備えている。また、外部機器と接続される通信手段として機能する通信装置５０と、光ディスクやメモリカード等の可搬性のある記録媒体を挿抜可能にするスロット６０とが設けられている。
【００１４】
装置本体２０は、例えば電子写真方式を用いて、入力された画像データに基づきトナー像を形成してフルカラーのプリント画像を得るプリンタとして機能する。また、スキャナを備え、このスキャナにより読み取られた画像データを出力するデジタル複写機としても機能する。更には、スキャナにより読み取られた画像データを電話回線を介して送信したり、他の装置から電話回線を介して受信した画像データを出力したりするファクシミリとしても機能させることができる。
制御装置３０は、パーソナルコンピュータ(ＰＣ)等のコンピュータ装置であり、画像データの処理の他、入出力装置４０に対する入出力の制御等の処理も行う。
【００１５】
入出力装置４０は、液晶ディスプレイ(ＬＣＤ)等のディスプレイを備えている。ディスプレイの表面には、例えばタッチパネルを形成し、ユーザが指でディスプレイにタッチすることにより情報を入力することができるようになっている。
通信装置５０は、例えばケーブルを備え、このケーブルに接続される機器の情報や画像データを取得できる。また、制御装置３０からの命令を、ケーブルに接続される機器に送信できる双方向通信を可能としている。利用できるインタフェース規格としては、ＵＳＢ(Universal Serial Bus)、ＩＥＥＥ１３９４(Institute of Electrical and Electronic Engineers1394)、ＳＣＳＩ(Small Computer System Interface)等がある。
【００１６】
次に、本実施の形態の概要について説明する。
図２及び図３は、本実施の形態で入出力装置４０に表示されるＵＩ画面を抽象化して示したものである。
まず、図２は、ＵＩ画面に関するモードを設定するための画面(以下、「モード設定画面」という)である。このモード設定画面では、「通常動作」、「熟練者用」、「共用」が選択肢として表示されている。
このうち、「通常動作」とは、選択肢を選択してＯＫボタンを押下すれば選択が確定するという一般的な動作を行うモードである。このモードは、選択した内容を逐一確認しながら操作できるので、初心者用のモードであると考えることができる。
【００１７】
また、「熟練者用」とは、選択肢の１回の選択でＯＫボタンを押下することなく選択が確定するモードである。熟練者は、この方が操作し易いと感じる場合も多く、文字通り、熟練者の要求に応えるモードである。
そして、「共用」とは、初心者と熟練者がともに使い易いような工夫を施したモードである。つまり、初心者と熟練者の両方の動作の特徴を活かす仕組みを、それらが互いに干渉しないように１つのＵＩ画面に仕込むことによってこのような使い易さを実現するものである。
【００１８】
図３に、これらの各モードにおいて表示されるＵＩ画面を示す。
図２のモード設定画面で「通常動作」を選択すると、図３(ａ)に示すＵＩ画面が表示される。また、図２のモード設定画面で「熟練者用」を選択すると、図３(ｂ)に示すＵＩ画面が表示される。つまり、熟練者用のＵＩ画面には、ＯＫボタンやキャンセルボタンは表示されない。
【００１９】
ところで、これらの画面には、選択肢の状態も示されている。
図３(ａ),(ｂ)において、「選択肢Ａ」に対応するラジオボタンは、黒色で表示されている。この表示は、このラジオボタンが、対応する選択肢が選択されていることを明示する状態(以下、「Ｏｎ状態」という)になっていることを示している。また、「選択肢Ｃ」に対応するラジオボタンは、白色で表示されている。この表示は、このラジオボタンが、対応する選択肢が選択されていないことを明示する状態(以下、「Ｏｆｆ状態」という)になっていることを示している。
【００２０】
一方、「選択肢Ｂ」に対するラジオボタンは、破線囲みで表示されている。この表示は、このラジオボタンが、他のＵＩ画面上での選択操作の影響で、対応する選択肢を選択できない状態(以下、「Ｄｉｓａｂｌｅ状態」という)になっていることを示している。また、このＤｉｓａｂｌｅ状態の場合は、図示するように、選択肢のラベルもグレーアウトし、この選択肢が選択不可能であることを強調している。尚、このような、あるＵＩ画面における選択と別のＵＩ画面における選択とが同時に成立しない状況を、以下では「コンフリクト」と呼ぶことにする。
【００２１】
さて、図２のモード設定画面で「共用」を選択した場合であるが、本実施の形態では、図３(ａ)に示すＵＩ画面を表示する。これにより、初心者は、選択肢を選択してＯＫボタンを押下することで選択を確定させるという従来通りの操作を行えばよい。また、このようなＵＩ画面において、初心者は、Ｏｎ状態やＤｉｓａｂｌｅ状態のラジオボタンを押下しようとはしないと考えられる。そこで、本実施の形態では、初心者のこの特性に着目し、熟練者にはＯｎ状態やＤｉｓａｂｌｅ状態になっているラジオボタンを積極的に利用してもらうことで、初心者と熟練者の両方が使い易いＵＩ画面を提供する。具体的には、Ｏｎ状態のラジオボタンを押下した場合には、そのラジオボタンに対応する選択肢の選択を確定する動作を行う。また、Ｄｉｓａｂｌｅ状態のラジオボタンを押下した場合には、その状態の原因となっている設定を解除し、そのラジオボタンに対応する選択肢の選択を可能とする動作を行う。尚、このような熟練者用の動作の追加は、初心者に従来通りの操作を確保した上で行っているので、この「共用」モードが、初心者の操作の害となることはない。
【００２２】
次いで、本実施の形態におけるＵＩ画面の具体的な遷移について説明する。
図４は、Ｏｎ状態のラジオボタンの押下時の動作を説明するための画面遷移の例である。
このうち、図４(ａ)は、コピー時の設定項目を選択するためのＵＩ画面である。このＵＩ画面では、設定項目として、「小冊子作成」、「まとめて１枚」、「カラー」等が表示されている。ここで、各設定項目のラベルの左側には、小さな丸印が表示されているが、それらの丸印には、白丸と、黒丸とがある。白丸は、対応する設定項目における設定値が既定値(デフォルト)のままであることを示しており、黒丸は、対応する設定項目における設定値が既定値から変更されていることを示している。図の例では、「カラー」、「コントラスト」における設定値が、既定値から変更されている。
【００２３】
まず、図４(ａ)において、指マークで示すように、「まとめて１枚」を選択したとする。尚、「まとめて１枚」とは、複数枚の原稿のそれぞれを縮小して１枚の紙に収める機能である。この選択により、図４(ｂ)に示すＵＩ画面が表示される。このＵＩ画面では、選択肢として、「しない」、「２アップ」、「４アップ」が表示されている。尚、「２アップ」とは、２枚の原稿のそれぞれを縮小して１枚の紙に収める機能であり、「４アップ」とは、４枚の原稿のそれぞれを縮小して１枚の紙に収める機能である。
また、これらの選択肢のうち、既定値は「しない」であるため、図４(ｂ)では、「しない」に対応するラジオボタンがＯｎ状態になっている。そこで、指マークで示すように、「２アップ」に対応するラジオボタンを押下したとする。すると、図４(ｃ)に示すＵＩ画面が表示される。
【００２４】
図４(ｃ)では、「２アップ」に対応するラジオボタンがＯｎ状態となる一方で、「２アップ」の詳細設定を行うための選択肢も表示されている。つまり、「２アップ」における印字方向を指定する選択肢として、「右→左」、「左→右」が表示されている。尚、これらの選択肢のうち、既定値は「右→左」であるため、図４(ｃ)では、「右→左」に対応するラジオボタンがＯｎ状態になっている。
【００２５】
ところで、本実施の形態では、図４(ｃ)の状態で、「閉じる」ボタンを押下した場合だけでなく、Ｏｎ状態になっているラジオボタンを押下した場合であっても、選択を確定することができるようになっている。即ち、図４(ｄ)において、左側の指マークで示すように、「２アップ」に対応するラジオボタンを押下した場合に、「２アップ」、「右→左」という選択が確定する。また、中央の指マークで示すように、「右→左」に対応するラジオボタンを押下した場合にも、「２アップ」、「右→左」という選択が確定する。更に、右側の指マークで示すように、「閉じる」ボタンを押下した場合にも、「２アップ」、「右→左」という選択が確定する。
【００２６】
一方、図５は、Ｄｉｓａｂｌｅ状態のラジオボタンの押下時の動作を説明するための画面遷移の例である。
このうち、図５(ａ)は、コピー時の設定項目を選択するためのＵＩ画面である。このＵＩ画面は、図４(ａ)に示したものと同様であるので、詳しい説明は省略する。但し、図５(ａ)では、図４(ａ)の「カラー」、「コントラスト」に加え、「小冊子作成」における設定値も既定値から変更されている。この図５の例では、「小冊子作成」を「する」としたことにより、「まとめて１枚」における選択肢の一部を選択できない状態になっていることを前提とする。
【００２７】
まず、図５(ａ)において、指マークで示すように、「まとめて１枚」を選択したとする。この選択により、図５(ｂ)に示すＵＩ画面が表示される。このＵＩ画面では、選択肢として、「しない」、「２アップ」、「４アップ」が表示されている。但し、前述したように、「小冊子作成」で「する」が選択されたことにより、「２アップ」及び「４アップ」に対応するラジオボタンはＤｉｓａｂｌｅ状態となっており、そのラベルはグレーアウトしている。
【００２８】
ところで、本実施の形態では、図５(ｂ)の状態で、Ｄｉｓａｂｌｅ状態になっているラジオボタンを押下した場合に、そのＤｉｓａｂｌｅ状態の原因の設定を解除することができるようになっている。
具体的には、まず、図５(ｃ)に示すように、押下されたラジオボタンに対応する選択肢が他の設定とコンフリクトしている旨のメッセージ(コンフリクトメッセージ)を表示する。図では、「[小冊子作成]が設定されているため使用できません。」が、コンフリクトメッセージとして表示されている。
その後一定時間内に、図５(ｄ)において、指マークで示すように、再度同じラジオボタンを押下したとする。すると、Ｄｉｓａｂｌｅ状態の原因となっている設定が解除され、そのラジオボタンはＯｎ状態となる。つまり、図５(ｅ)に示すように、「２アップ」に対応するラジオボタンがＯｎ状態となり、また、図４(ｃ)と同様、「２アップ」の詳細設定を行うための選択肢も表示される。
【００２９】
このように、本実施の形態では、初心者が通常押下しないであろうと思われるＯｎ状態又はＤｉｓａｂｌｅ状態のラジオボタンを押下した場合も動作を行うようにし、熟練者にも使い易いＵＩ画面を提供しているのである。
【００３０】
以下、かかるＵＩ画面に対する入出力を制御する制御装置３０について詳細に説明する。
図６は、制御装置３０の機能構成を示したブロック図である。
図示するように、制御装置３０は、画面表示部３１と、選択肢情報記憶部３２と、操作受付部３３と、選択確定部３４と、確定情報記憶部３５と、設定解除部３６と、状態変更部３７とを含んでいる。
【００３１】
画面表示部３１は、図１の入出力装置４０に画面を表示する。選択肢情報記憶部３２は、画面表示部３１が図１の入出力装置４０に表示する選択肢に関する情報(以下、「選択肢情報」という)を記憶する。操作受付部３３は、図１の入出力装置４０の例えばタッチパネルによる操作入力を受け付ける。
選択確定部３４は、操作受付部３３からの操作入力に従い、画面表示部３１が表示する選択肢群からの選択を確定する。確定情報記憶部３５は、この選択の確定情報を記憶し、例えば装置本体２０の動作に際してこの記憶した情報を提供する。
設定解除部３６は、操作受付部３３からの操作入力に従い、選択肢情報記憶部３２に記憶されている設定を解除する。
状態変更部３７は、操作受付部３３からの操作入力に従い、選択肢情報記憶部３２に記憶されている状態を変更する。
【００３２】
尚、これらの機能は、ソフトウェアとハードウェア資源とが協働することにより実現される。即ち、画面表示部３１、操作受付部３３、選択確定部３４、設定解除部３６、状態変更部３７の各機能は、制御装置３０の図示しないＣＰＵが、これらの機能を実現するプログラムを、例えば磁気ディスクからメインメモリに読み込むことにより実現される。
また、選択肢情報記憶部３２、確定情報記憶部３５は、半導体メモリ、磁気ディスク等の種々の記憶媒体を用いて実現することができる。
【００３３】
次に、ＵＩ画面上での操作入力を受けて選択を確定するまでの制御装置３０の動作について詳細に説明する。
図７は、このときの制御装置３０の動作を示したフローチャートである。尚、この動作に先立ち、画面表示部３１が、例えば図３(ａ)のようなＵＩ画面を入出力装置４０に表示しているものとする。
まず、操作受付部３３は、このＵＩ画面上でのユーザの操作入力を受け付ける(ステップ３０１)。そして、その操作入力がＯＫボタンの押下であるかどうかを判定する(ステップ３０２)。
ここで、ＯＫボタンの押下である場合は、選択確定部３４が、その時点でＯｎ状態にあるラジオボタンに対応する選択肢の選択を確定する。そして、その選択の確定情報を確定情報記憶部３５に記憶する(ステップ３０９)。
【００３４】
一方、ＯＫボタンの押下でない場合は、ラジオボタンの押下であるかどうかを判定する(ステップ３０３)。この判定の結果、ラジオボタンの押下でもなければ本実施の形態には関係のない操作であるので、ステップ３０１に戻る。これに対し、ラジオボタンの押下であれば、そのラジオボタンの状態を調べる(ステップ３０４)。
まず、ラジオボタンがＯｆｆ状態であった場合について説明する。
これは、ある選択肢の選択を解除して別の選択肢を選択するという操作である。この場合、状態変更部３７は、選択肢情報記憶部３２に記憶されたそのラジオボタンの状態をＯｎ状態に変更し(ステップ３０８)、ステップ３０１に戻る。
【００３５】
次に、ラジオボタンがＯｎ状態であった場合について説明する。
これは、熟練者が選択を素早く確定させたいときに行う操作である。この場合は、選択確定部３４が、その時点でＯｎ状態にあるラジオボタンに対応する選択肢の選択を確定する。そして、その選択の確定情報を確定情報記憶部３５に記憶する(ステップ３０９)。
【００３６】
また、ラジオボタンがＤｉｓａｂｌｅ状態であった場合について説明する。
これは、選択できないようになっている選択肢をその選択できない原因の設定を解除して選択できるようにする操作を熟練者が素早く行いたいときに行う操作である。この場合、まず、画面表示部３１は、ＵＩ画面上にコンフリクトメッセージを表示する(ステップ３０５)。そして、操作受付部３３は、一定時間内に再びそのラジオボタンが押下されたかどうかを判定する(ステップ３０６)。ここで、一定時間内にそのラジオボタンが押下されなければ、ステップ３０１に戻るが、一定時間内にそのラジオボタンが押下されれば、設定解除部３６は、コンフリクトしている設定を解除する(ステップ３０７)。即ち、選択肢情報記憶部３２に記憶されているそのラジオボタンのＤｉｓａｂｌｅ状態の原因となっている設定を解除する。その後、選択肢情報記憶部３２に記憶されたそのラジオボタンの状態をＯｎ状態に変更し(ステップ３０８)、ステップ３０１に戻る。
【００３７】
次いで、図７のフローチャートに示した処理を、図４及び図５の画面遷移を例にとり、選択肢情報記憶部３２における選択肢情報を参照しつつ、具体的に説明する。
図８は、図４の画面遷移に伴う選択肢情報の遷移を示した図である。
まず、図８(ａ)のテーブルＣ２は、設定項目として「まとめて１枚」が選択された場合に表示する選択肢群についての選択肢情報を管理するものである。図において、Ｘは選択肢の横方向の表示位置を表し、Ｙは選択肢の縦方向の表示位置を表す。つまり、これらの選択肢は、横方向には同じ「１」の位置に表示され、縦方向には順番に「１」、「２」、「３」の位置に表示されることが設定されている。また、ラベルには、選択肢として表示する文字列が設定され、状態には、その選択肢に対応するラジオボタンの状態(Ｏｎ、Ｏｆｆ、Ｄｉｓａｂｌｅ)が設定される。このテーブルＣ２の場合、「しない」が既定値なので、この選択肢の状態のみに「Ｏｎ」が設定され、その他の選択肢の状態には「Ｏｆｆ」が設定されている。更に、次表示には、各選択肢が選択された場合に更に表示する選択肢群をテーブル名で指定している。尚、テーブルには、コンフリクトに関する情報も記憶されているが、これについては、後述する。
【００３８】
また、図８(ａ)のテーブルＣ２２は、「まとめて１枚」に対する選択肢群の中から「２アップ」が選択された場合に表示する選択肢についての選択肢情報を管理するものである。つまり、テーブルＣ２の選択肢「２アップ」に対する次表示として「Ｃ２２」を設定しておくことで、「２アップ」が選択された場合に、テーブルＣ２２で管理される選択肢群が表示されるようになっている。尚、このテーブルＣ２２の場合、「右→左」が既定値なので、この選択肢の状態のみに「Ｏｎ」が設定され、その他の選択肢の状態には「Ｏｆｆ」が設定されている。
【００３９】
ところで、選択肢情報記憶部３２に記憶された情報が、図８(ａ)に示すようなものである場合に、図４(ａ)において、指マークで示すように、「まとめて１枚」が選択されたとする。この場合、画面表示部３１は、図８(ａ)のテーブルＣ２を参照し、選択肢として、「しない」、「２アップ」、「４アップ」をこの順に表示する。尚、このとき、「しない」に対応する状態のみが「Ｏｎ」なので、「しない」に対応するラジオボタンのみをＯｎ状態で表示する。その結果、ＵＩ画面は、図４(ｂ)に示すようなものとなる。
【００４０】
次に、図４(ｂ)において、指マークで示すように、選択肢群の中から「２アップ」が選択されたとする。この場合、図７のステップ３０４で、操作受付部３３は、選択肢情報記憶部３２を参照し、「２アップ」に対応する状態が「Ｏｆｆ」であると判定する。そして、図７のステップ３０８で、状態変更部３７は、選択肢情報記憶部３２に記憶されたテーブルＣ２の「２アップ」に対応する状態を「Ｏｎ」に、「しない」に対応する状態を「Ｏｆｆ」に書き換える。その結果、テーブルＣ２は、図８(ｂ)に示すようなものとなる。また、このとき、図７には示していないが、画面表示部３１は、テーブルＣ２の「２アップ」に対応する次表示を参照し、テーブルＣ２２で管理される選択肢群を表示する。尚、このとき、「右→左」に対応する状態のみが「Ｏｎ」なので、「右→左」に対応するラジオボタンのみをＯｎ状態で表示する。その結果、ＵＩ画面は、図４(ｃ)に示すようなものとなる。
【００４１】
次いで、図４(ｄ)において、左側の指マークで示すように、「２アップ」を押下したとする。この場合、図７のステップ３０４で、操作受付部３３は、選択肢情報記憶部３２を参照し、「２アップ」に対応する状態が「Ｏｎ」であると判定する。そして、図７のステップ３０９で、選択確定部３４は、Ｏｎ状態になっているラジオボタンに対応する選択肢の選択を確定させる。つまり、この場合は、「２アップ」及び「右→左」の選択を確定させる。
また、図４(ｄ)において、中央の指マークで示すように、「右→左」を押下したとする。この場合、図７のステップ３０４で、操作受付部３３は、選択肢情報記憶部３２を参照し、「右→左」に対応する状態が「Ｏｎ」であると判定する。そして、図７のステップ３０９で、選択確定部３４は、Ｏｎ状態になっているラジオボタンに対応する選択肢の選択を確定させる。つまり、この場合も、「２アップ」及び「右→左」の選択を確定させる。
【００４２】
更に、図４(ｄ)において、右側の指マークで示すように、「閉じる」ボタンを押下したとする。この「閉じる」ボタンは、図７のフローチャートの「ＯＫボタン」に相当するものである。従って、図７のステップ３０２で、操作受付部３３は、「Ｙｅｓ」と判定する。そして、図７のステップ３０９で、選択確定部３４は、Ｏｎ状態になっているラジオボタンに対応する選択肢の選択を確定させる。つまり、この場合も、「２アップ」及び「右→左」の選択を確定させる。
【００４３】
また、図９は、図５の画面遷移に伴う選択肢情報の遷移を示した図である。
まず、図９(ａ)のテーブルＣ１は、設定項目として「小冊子作成」が選択された場合に表示する選択肢群についての選択肢情報を管理するものである。また、テーブルＣ２は、図８に示したように、設定項目として「まとめて１枚」が選択された場合に表示する選択肢群についての選択肢情報を管理するものである。図において、Ｘ、Ｙ、ラベル、状態、次表示については、図８で説明したものと同様であるので、説明を省略し、ここでは、コンフリクトについて説明する。前述したように、コンフリクトとは、複数の選択肢の選択が同時には成立し得ないような関係にあることをいう。ここでは、テーブルＣ１の「する」に対するコンフリクトの情報として、テーブルＣ２の２番目及び３番目の選択肢が設定されている。一方、テーブルＣ２の「２アップ」及び「４アップ」に対するコンフリクトの情報として、テーブルＣ１の２番目の選択肢が設定されている。このことから、テーブルＣ２の「２アップ」及び「４アップ」に対する状態が「Ｄｉｓａｂｌｅ」になっている原因が、「小冊子作成」に対して「する」を選択したことにあることが分かる。
【００４４】
ところで、選択肢情報記憶部３２に記憶された情報が、図９(ａ)に示すようなものである場合に、図５(ａ)において、指マークで示すように、「まとめて１枚」が選択されたとする。この場合、画面表示部３１は、図９(ａ)のテーブルＣ２を参照し、選択肢として、「しない」、「２アップ」、「４アップ」をこの順に表示する。尚、このとき、「しない」に対応する状態は「Ｏｎ」なので、「しない」に対応するラジオボタンをＯｎ状態で表示し、「２アップ」及び「４アップ」に対応する状態は「Ｄｉｓａｂｌｅ」なので、これらに対応するラジオボタンをＤｉｓａｂｌｅ状態で表示する。その結果、ＵＩ画面は、図５(ｂ)に示すようなものとなる。
【００４５】
次に、図５(ｂ)において、指マークで示すように、「２アップ」が押下されたとする。この場合、図７のステップ３０４で、操作受付部３３は、選択肢情報記憶部３２を参照し、「２アップ」に対応する状態が「Ｄｉｓａｂｌｅ」であると判定する。従って、図７のステップ３０５で、画面表示部３１は、コンフリクトメッセージを表示する。つまり、図５(ｃ)に示すような状態となる。
【００４６】
その後、図５(ｄ)において、指マークで示すように、再び「２アップ」が押下されたとする。この場合、図７のステップ３０７で、設定解除部３６は、選択肢情報記憶部３２を参照し、「２アップ」に対応する状態が「Ｄｉｓａｂｌｅ」となっている原因の設定を解除する。即ち、設定解除部３６は、まず、テーブルＣ２を参照し、「２アップ」とコンフリクトを生じている対象が、テーブルＣ１の２番目の選択肢である「する」であることを特定する。そして、設定解除部３６は、テーブルＣ１の「しない」に対する状態を「Ｏｎ」とし、「する」に対応する状態を「Ｏｆｆ」とする。また、このとき、設定解除部３６は、テーブルＣ２の「２アップ」に対する状態を「Ｏｎ」とし、「しない」、「４アップ」に対する状態を「Ｏｆｆ」とする。その結果、テーブルＣ１、Ｃ２は、図９(ｂ)に示すようなものとなる。そして、ＵＩ画面は、図５(ｅ)に示すようなものとなる。
【００４７】
以上、本実施の形態におけるＵＩ画面及びその実現方法について説明してきた。
ところで、上記では、複数の選択肢の中から特定の選択肢を選択する操作をラジオボタンの押下により行うことを前提としたが、本実施の形態はこのような操作に限るものではない。
上記実施の形態のように、ある機能や項目を設定するような場合に、その機能や項目に対応する複数の選択肢からいずれか１つを選択して確定する、という択一的な選択を行うためのボタンやアイコンといった表示要素であれば、その表示形態を限定するものではない。例えば複数の選択肢から１つを選択させる際に、選択状態と非選択状態をアイコン等の絵文字の表示状態や表示色を切り替えることで表現するような場合にも適用することが可能である。
また、別な例では、例えば、複数の選択肢であるタブの中から特定の選択肢をタブの押下により選択するものであってもよい。尚、タブの場合、Ｏｎ状態とは、そのタブに対する情報が前面に表示されている状態であり、Ｏｆｆ状態とは、そのタブに対する情報が背面に隠れている状態であると考えることができる。
【００４８】
また、タブについては、Ｏｎ状態のタブを再度押下することでその選択を確定させるという動作以外にも種々の動作が考えられる。例えば、Ｏｎ状態のタブを再度押下することにより、直前に選択していたタブを再度選択し直すといった動作である。これは、多くのタブの中からあるタブを選択したもののそのタブが所望のものでなかった場合に、直前の選択状態に戻るのに再びタブを探さなければならないという煩わしさを軽減するものである。
この動作は、具体的には、次のように実現することができる。即ち、まず、図８及び図９のテーブルにおいて、各選択肢に対し、現在の状態だけでなく、直前の状態も保持するようにする。そして、図７のステップ３０４で状態が「Ｏｎ」であると判定された場合に、ステップ３０９でテーブル内の直前の状態を参照し、その状態を復元するようにすればよい。
【００４９】
また、上記において、コンフリクトは、他のＵＩ画面による設定が原因で生じるものとしたが、これには限られない。例えば、コインキットに対する入金額が足りないために、ある選択肢に対応するラジオボタンがＤｉｓａｂｌｅ状態になることも考えられる。この場合に、Ｄｉｓａｂｌｅ状態にあるラジオボタンを押下することで、対応する動作を行い、不足金額の入金を促すようにしてもよい。
【００５０】
更に、本実施の形態では、画像処理装置１０の操作パネルにおけるＵＩ画面を想定して説明してきたが、これには限られない。例えば、金融機関に設置される現金自動預け払い機(ＡＴＭ：Automatic Teller Machine)等、タッチパネルを有する装置であれば、如何なる装置であっても、本実施の形態は適用可能である。
更にまた、タッチパネルを有しておらず、マウス等のポインティングデバイスで操作するような装置に対しても本実施の形態を適用することはできる。
【００５１】
図１０は、汎用的なＰＣに本発明のコンセプトを取り入れた場合の画面遷移を示した図である。
まず、図１０(ａ)では、ポップアップ画面に、選択肢として、「しない」、「２アップ」、「４アップ」が表示され、「しない」に対応するラジオボタンがＯｎ状態となっている。そこで、マウスカーソルで示すように、「２アップ」を押下したとする。
これにより、「２アップ」が選択され、ポップアップ画面は、図１０(ｂ)に示すようなものとなる。本実施の形態では、図１０(ｂ)にマウスカーソルで示すように、この状態で「２アップ」を再度クリックしても、ＯＫボタンをクリックしても、「２アップ」の選択を確定する。そして、ポップアップ画面は閉じられ、図１０(ｃ)に示すような状態になる。
【００５２】
以上述べたように、本実施の形態では、通常押せないと思われる表示要素に他の表示要素の機能を持たせるような構成とした。例えば、Ｏｎ状態のラジオボタンにＯＫボタンの機能を持たせた。また、Ｄｉｓａｂｌｅ状態のラジオボタンにそのＤｉｓａｂｌｅ状態の原因となる設定を解除する機能を持たせた。これにより、所定の選択肢群から特定の選択肢を選択するためのＵＩ画面を、初心者と熟練者が共に使い易いものとすることが可能となった。
【図面の簡単な説明】
【００５３】
【図１】本発明の実施の形態が適用される画像処理装置の外観を示した図である。
【図２】モード設定画面の例を示した図である。
【図３】初心者用のＵＩ画面と熟練者用のＵＩ画面の例を示した図である。
【図４】本発明の実施の形態におけるＯｎ状態のラジオボタン押下時の画面遷移を説明するための図である。
【図５】本発明の実施の形態におけるＤｉｓａｂｌｅ状態のラジオボタン押下時の画面遷移を説明するための図である。
【図６】本発明の実施の形態における制御装置の機能構成を示したブロック図である。
【図７】本発明の実施の形態における制御装置の動作を示したフローチャートである。
【図８】本発明の実施の形態におけるＯｎ状態のラジオボタン押下時の選択肢情報の遷移を説明するための図である。
【図９】本発明の実施の形態におけるＤｉｓａｂｌｅ状態のラジオボタン押下時の選択肢情報の遷移を説明するための図である。
【図１０】本発明の実施の形態を汎用ＰＣに適用した場合の画面遷移を示した図である。
【符号の説明】
【００５４】
１０…画像処理装置、２０…装置本体、３０…制御装置、４０…入出力装置、５０…通信装置、６０…スロット
【図１】
0004788468.tif 000002
【図２】
0004788468.tif 000003
【図３】
0004788468.tif 000004
【図４】
0004788468.tif 000005
【図５】
0004788468.tif 000006
【図６】
0004788468.tif 000007
【図７】
0004788468.tif 000008
【図８】
0004788468.tif 000009
【図９】
0004788468.tif 000010
【図１０】
0004788468.tif 000011